(57)【要約】  本発明は、衣類処理設備用の制御方法及び衣類処理設備であって、当該制御方法は、衣類処理設備が乾燥モードとされ、且つ加熱モジュールがオフ状態にある場合、環境温度を検出するステップと、環境温度に基づいて加熱モジュールのオン温度を修正するステップと、修正したオン温度に基づいて加熱モジュールを選択的にオンにするステップとを含む。本願の衣類処理設備は、加熱モジュール、温度センサ、温度修正モジュール、制御モジュールを含み、制御モジュールが修正したオン温度に基づいて加熱モジュールを選択的にオンにする。具体的な動作状態に応じて加熱モジュールのオン温度に対して修正を行うことで、加熱モジュールをオンにする制御を正確に行って衣類処理設備の乾燥効果を向上させる。【選択図】図１
2021520915.tif 000002
【特許請求の範囲】
【請求項１】
加熱モジュールを含む衣類処理設備用の制御方法であって、
前記制御方法は、
前記衣類処理設備が乾燥モードとされ、且つ前記加熱モジュールがオフ状態にある場合、環境温度を検出するステップと、
前記環境温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項２】
「前記環境温度に基づいて前記加熱モジュールのオン温度を修正する」というステップは、具体的に、
前記環境温度とプリセット温度閾値とを比較することと、
前記環境温度と前記プリセット温度閾値との比較結果に基づいて前記オン温度を修正することを含む、ことを特徴とする請求項1に記載の制御方法。
【請求項３】
「前記環境温度と前記プリセット温度閾値との比較結果に基づいて前記オン温度を修正する」というステップは、具体的に、
下記式に従って前記オン温度を修正することを含み、
Ton=a×T1+b
そのうち、Tonは前記オン温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
前記プリセット温度閾値は、第1のプリセット温度閾値、第2のプリセット温度閾値及び第3のプリセット温度閾値を含み、
そのうち、前記第1のプリセット温度閾値が前記第2のプリセット温度閾値より小さく、前記第2のプリセット温度閾値が前記第3のプリセット温度閾値より小さい、ことを特徴とする請求項3に記載の制御方法。
【請求項５】
前記第1の修正係数a及び前記第2の修正係数bの大きさを、
前記環境温度T1が前記第1のプリセット温度閾値以下である場合に、前記オン温度Tonは変化せず、
前記環境温度T1が前記第1のプリセット温度閾値を超えるとともに前記第2のプリセット温度閾値以下である場合に、前記オン温度Tonは前記環境温度T1に反比例し、
前記環境温度T1が前記第2のプリセット温度閾値を超えるとともに前記第3のプリセット温度閾値以下である場合に、前記オン温度Tonは前記環境温度T1に反比例し、
前記環境温度T1が前記第3のプリセット温度閾値を超える場合に、前記オン温度Tonは変化しない、
という状況となるように設定する、ことを特徴とする請求項4に記載の制御方法。
【請求項６】
前記第1のプリセット温度閾値は10℃であり、
「前記環境温度と前記プリセット温度閾値との比較結果に基づいて前記オン温度を修正する」というステップは、具体的に、
前記環境温度T1が前記第1のプリセット温度閾値以下である場合、前記オン温度Tonに対応する第1の修正係数aと第2の修正係数bを、それぞれ0、110とすることを含む、ことを特徴とする請求項5に記載の制御方法。
【請求項７】
前記第1のプリセット温度閾値は10℃であり、前記第2のプリセット温度閾値は25℃であり、
「前記環境温度と前記プリセット温度閾値との比較結果に基づいて前記オン温度を修正する」というステップは、具体的に、
前記環境温度T1が前記第1のプリセット温度閾値を超えるとともに前記第2のプリセット温度閾値以下である場合、前記オン温度Tonに対応する第1の修正係数a及び第2の修正係数bを、それぞれ-1.2、122とすることを含む、ことを特徴とする請求項5に記載の制御方法。
【請求項８】
前記第2のプリセット温度閾値は25℃であり、前記第3のプリセット温度閾値は35℃であり、
「前記環境温度と前記プリセット温度閾値との比較結果に基づいて前記オン温度を修正する」というステップは、具体的に、
前記環境温度T1が前記第2のプリセット温度閾値を超えるとともに前記第3のプリセット温度閾値以下である場合、前記オン温度Tonに対応する第1の修正係数aと第2の修正係数bを、それぞれ-2、142とすることを含む、ことを特徴とする請求項5に記載の制御方法。
【請求項９】
前記第3のプリセット温度閾値は35℃であり、
「前記環境温度と前記プリセット温度閾値との比較結果に基づいて前記オン温度を修正する」というステップは、具体的に、
前記環境温度T1が前記第3のプリセット温度閾値を超える場合、前記オン温度Tonに対応する第1の修正係数a及び第2の修正係数bを、それぞれ0、72とすることを含む、ことを特徴とする請求項5に記載の制御方法。
【請求項１０】
加熱モジュールを含む衣類処理設備であって、
前記衣類処理設備は、
前記衣類処理設備が乾燥モードとされ、且つ前記加熱モジュールがオフ状態にある場合に環境温度を検出するための温度センサと、
前記温度センサにより検出された環境温度に基づいて前記加熱モジュールのオン温度を修正するための温度修正モジュールと、
修正したオン温度に基づいて前記加熱モジュールを選択的にオンにする制御モジュールと、を更に含む、ことを特徴とする衣類処理設備。
【請求項１１】
凝縮モジュール及び加熱モジュールを含む衣類処理設備用の制御方法であって、
前記制御方法は、
前記衣類処理設備が乾燥モードとされ、且つ前記加熱モジュールがオフ状態にある場合、前記凝縮モジュールの冷却水温度を検出するステップと、
前記冷却水温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項１２】
「前記冷却水温度に基づいて前記加熱モジュールのオン温度を修正する」というステップは、具体的に、
前記冷却水温度とプリセット温度閾値とを比較することと、
前記冷却水温度と前記プリセット温度閾値との比較結果に基づいて前記オン温度を修正することを含む、ことを特徴とする請求項11に記載の制御方法。
【請求項１３】
「前記冷却水温度と前記プリセット温度閾値との比較結果に基づいて前記オン温度を修正する」というステップは、具体的に、
下記式に従って前記オン温度を修正することを含み、
Ton=a×T1+b
そのうち、Tonは前記オン温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項12に記載の制御方法。
【請求項１４】
前記プリセット温度閾値は、第1のプリセット温度閾値、第2のプリセット温度閾値及び第3のプリセット温度閾値を含み、
そのうち、前記第1のプリセット温度閾値が前記第2のプリセット温度閾値より小さく、前記第2のプリセット温度閾値が前記第3のプリセット温度閾値より小さい、ことを特徴とする請求項13に記載の制御方法。
【請求項１５】
前記第1の修正係数a及び前記第2の修正係数bの大きさを、
前記冷却水温度T1が前記第1のプリセット温度閾値以下である場合に、前記オン温度Tonは変化せず、
前記冷却水温度T1が前記第1のプリセット温度閾値を超えるとともに前記第2のプリセット温度閾値以下である場合に、前記オン温度Tonは前記冷却水温度T1に反比例し、
前記冷却水温度T1が前記第2のプリセット温度閾値を超えるとともに前記第3のプリセット温度閾値以下である場合に、前記オン温度Tonは前記冷却水温度T1に反比例し、
前記冷却水温度T1が前記第3のプリセット温度閾値を超える場合に、前記オン温度Tonは変化しない、
という状況となるように設定する、ことを特徴とする請求項14に記載の制御方法。
【請求項１６】
前記第1のプリセット温度閾値は10℃であり、
「前記冷却水温度と前記プリセット温度閾値との比較結果に基づいて前記オン温度を修正する」というステップは、具体的に、
前記冷却水温度T1が前記第1のプリセット温度閾値以下である場合、前記オン温度Tonに対応する第1の修正係数aと第2の修正係数bを、それぞれ0、110とすることを含む、ことを特徴とする請求項15に記載の制御方法。
【請求項１７】
前記第1のプリセット温度閾値は10℃であり、前記第2のプリセット温度閾値は25℃であり、
「前記冷却水温度と前記プリセット温度閾値との比較結果に基づいて前記オン温度を修正する」というステップは、具体的に、
前記冷却水温度T1が前記第1のプリセット温度閾値を超えるとともに前記第2のプリセット温度閾値以下である場合、前記オン温度Tonに対応する第1の修正係数a及び第2の修正係数bを、それぞれ-1.2、122とすることを含む、ことを特徴とする請求項15に記載の制御方法。
【請求項１８】
前記第2のプリセット温度閾値は25℃であり、前記第3のプリセット温度閾値は35℃であり、
「前記冷却水温度と前記プリセット温度閾値との比較結果に基づいて前記オン温度を修正する」というステップは、具体的に、
前記冷却水温度T1が前記第2のプリセット温度閾値を超えるとともに前記第3のプリセット温度閾値以下である場合、前記オン温度Tonに対応する第1の修正係数aと第2の修正係数bを、それぞれ-2、142とすることを含む、ことを特徴とする請求項15に記載の制御方法。
【請求項１９】
前記第3のプリセット温度閾値は35℃であり、
「前記冷却水温度と前記プリセット温度閾値との比較結果に基づいて前記オン温度を修正する」というステップは、具体的に、
前記冷却水温度T1が前記第3のプリセット温度閾値を超える場合、前記オン温度Tonに対応する第1の修正係数a及び第2の修正係数bを、それぞれ0、72とすることを含む、ことを特徴とする請求項15に記載の制御方法。
【請求項２０】
凝縮モジュールと加熱モジュールを含む衣類処理設備であって、
前記衣類処理設備は、
前記衣類処理設備が乾燥モードとされ、且つ前記加熱モジュールがオフ状態にある場合に前記凝縮モジュールの冷却水温度を検出するための温度センサと、
前記温度センサにより検出された冷却水温度に基づいて前記加熱モジュールのオン温度を修正するための温度修正モジュールと、
修正したオン温度に基づいて前記加熱モジュールを選択的にオンにする制御モジュールと、を更に含む、ことを特徴とする衣類処理設備。
【請求項２１】
凝縮モジュール及び加熱モジュールを含む衣類処理設備用の制御方法であって、
前記制御方法は、
前記衣類処理設備が乾燥モードとされ、且つ前記加熱モジュールがオフ状態にある場合、環境温度並びに前記凝縮モジュールの冷却水温度を検出するステップと、
前記環境温度並びに前記冷却水温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項２２】
「前記環境温度並びに前記冷却水温度に基づいて前記加熱モジュールのオン温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オン温度を修正することを含む、ことを特徴とする請求項21に記載の制御方法。
【請求項２３】
「前記環境温度並びに前記冷却水温度と前記プリセット温度閾値との比較結果に基づいて前記オン温度を修正する」というステップは、具体的に、
下記式に従って前記オン温度を修正することを含み、
Ton=a×T1+b×T2+c×T1×T2+d
そのうち、Tonは前記オン温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数c及び前記第4の修正係数dの大きさは、前記環境温度T1と前記冷却水温度T2の大きさに依存する、ことを特徴とする請求項22に記載の制御方法。
【請求項２４】
前記プリセット温度閾値は、第1のプリセット環境温度閾値と、第2のプリセット環境温度閾値と、第1のプリセット冷却水温度閾値と、第2のプリセット冷却水温度閾値とを含み、
そのうち、前記第1のプリセット環境温度閾値は、前記第2のプリセット環境温度閾値より小さく、前記第1のプリセット冷却水温度閾値は、前記第2のプリセット冷却水温度閾値より小さい、ことを特徴とする請求項23に記載の制御方法。
【請求項２５】
前記第1の修正係数a、前記第2の修正係数b、前記第3の修正係数c及び前記第4の修正係数dの大きさを、
前記環境温度T1が前記第1のプリセット環境温度閾値以下であるとともに前記冷却水温度T2が前記第1のプリセット冷却水温度閾値以下である場合に、前記オン温度Tonは変化せず、
前記環境温度T1が前記第1のプリセット環境温度閾値以下であるとともに前記冷却水温度T2が前記第1のプリセット冷却水温度閾値を超える場合に、前記オン温度Tonは、前記環境温度T1と前記冷却水温度T2とに反比例し、
前記環境温度T1が前記第1のプリセット環境温度閾値を超えるとともに前記第2のプリセット環境温度閾値以下である場合に、前記オン温度Tonは、前記環境温度T1と前記冷却水温度T2とに反比例し、
前記環境温度T1が前記第2のプリセット環境温度閾値を超えるとともに前記冷却水温度T2が前記第2のプリセット冷却水温度閾値以下である場合に、前記オン温度Tonは、前記環境温度T1と前記冷却水温度T2とに反比例し、
前記環境温度T1が前記第2のプリセット環境温度閾値を超えるとともに前記冷却水温度T2が前記第2のプリセット冷却水温度閾値を超える場合に、前記オン温度Tonは変化しない、
という状況となるように設定する、ことを特徴とする請求項24に記載の制御方法。
【請求項２６】
前記第1のプリセット環境温度閾値は10℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン温度を修正する」というステップは、具体的に、
前記環境温度T1が前記第1のプリセット環境温度閾値以下であるとともに前記冷却水温度T2が前記第1のプリセット冷却水温度閾値以下である場合、前記オン温度Tonに対応する第1の修正係数a、第2の修正係数b、第3の修正係数c及び第4の修正係数dをそれぞれ0、0、0、110とし、
前記環境温度T1が前記第1のプリセット環境温度閾値以下であるとともに前記冷却水温度T2が前記第1のプリセット冷却水温度閾値を超え且つ前記第2のプリセット冷却水温度閾値以下である場合に、前記オン温度Tonに対応する第1の修正係数a、第2の修正係数b、第3の修正係数c及び第4の修正係数dを、それぞれ-0.2、-0.2、0、114とし、
前記環境温度T1が前記第1のプリセット環境温度閾値以下であるとともに前記冷却水温度T2が前記第2のプリセット冷却水温度閾値を超える場合に、前記オン温度Tonに対応する第1の修正係数a、第2の修正係数b、第3の修正係数c及び第4の修正係数dを、それぞれ-0.1、-0.3、0と110とする、ことを含むことを特徴とする請求項25に記載の制御方法。
【請求項２７】
前記第1のプリセット環境温度閾値は10℃であり、前記第2のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン温度を修正する」というステップは、具体的に、
前記環境温度T1が前記第1のプリセット環境温度閾値を超え且つ前記第2のプリセット環境温度閾値以下であるとともに前記冷却水温度T2が前記第1のプリセット冷却水温度閾値以下である場合に、前記オン温度Tonに対応する第1の修正係数a、第2の修正係数b、第3の修正係数c及び第4の修正係数dを、それぞれ-0.3、-0.1、0、114とし、
前記環境温度T1が前記第1のプリセット環境温度閾値を超え且つ前記第2のプリセット環境温度閾値以下であるとともに前記冷却水温度T2が前記第1のプリセット冷却水温度閾値を超え且つ前記第2のプリセット冷却水温度閾値以下である場合に、前記オン温度Tonに対応する第1の修正係数a、第2の修正係数b、第3の修正係数c及び第4の修正係数dを、それぞれ-0.3、-0.3、0、112とし、
前記環境温度T1が前記第1のプリセット環境温度閾値を超え且つ前記第2のプリセット環境温度閾値以下であるとともに前記冷却水温度T2が前記第2のプリセット冷却水温度閾値を超える場合に、前記オン温度Tonに対応する第1の修正係数a、第2の修正係数b、第3の修正係数c及び第4の修正係数dを、それぞれ-0.4、-0.2、0、110とする、ことを含むことを特徴とする請求項25に記載の制御方法。
【請求項２８】
前記第2のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン温度を修正する」というステップは、具体的に、
前記環境温度T1が前記第2のプリセット環境温度閾値を超えるとともに前記冷却水温度T2が前記第1のプリセット冷却水温度閾値以下である場合に、前記オン温度Tonに対応する第1の修正係数a、第2の修正係数b、第3の修正係数c及び第4の修正係数dを、それぞれ-0.3、-0.1、0、114とし、
前記環境温度T1が前記第2のプリセット環境温度閾値を超えるとともに前記冷却水温度T2が前記第1のプリセット冷却水温度閾値を超え且つ前記第2のプリセット冷却水温度閾値以下である場合に、前記オン温度Tonに対応する第1の修正係数a、第2の修正係数b、第3の修正係数c及び第4の修正係数dを、それぞれ-0.4、-0.2、0、110とする、ことを含むことを特徴とする請求項25に記載の制御方法。 
【請求項２９】
前記環境温度T1が前記第2のプリセット環境温度閾値を超えるとともに前記冷却水温度T2が前記第2のプリセット冷却水温度閾値を超える場合に、前記オン温度Tonに対応する第1の修正係数a、第2の修正係数b、第3の修正係数c及び第4の修正係数dを、それぞれ0、0、0、75とする、ことを特徴とする請求項28に記載の制御方法。
【請求項３０】
凝縮モジュールと加熱モジュールを含む衣類処理設備であって、
前記衣類処理設備は、
前記衣類処理設備が乾燥モードとされ、且つ前記加熱モジュールがオフ状態にある場合に環境温度を検出するための環境温度センサと、
前記衣類処理設備が乾燥モードとされ、且つ前記加熱モジュールがオフ状態にある場合に前記凝縮モジュールの冷却水温度を検出するための水温センサと、
検出された環境温度及び冷却水温度に基づいて前記加熱モジュールのオン温度を修正するための温度修正モジュールと、
修正したオン温度に基づいて前記加熱モジュールを選択的にオンにする制御モジュールと、を更に含む、ことを特徴とする衣類処理設備。
【発明の詳細な説明】
【技術分野】
【０００１】
本発明は、衣類処理設備の技術分野に関するものであり、具体的には、衣類処理設備用の制御方法及び衣類処理設備を提供するものである。
【背景技術】
【０００２】
科学技術の進歩に伴い、人間生活の自動化レベルはますます高まり、日常の家事労働において、機械が次第に人力に取って代わる。衣類処理設備は、日常生活に常用される家電機器として、人々の生活に極めて大きな利便性を与える。衣類処理設備は、主に、衣類洗濯設備と、衣類乾燥設備と、一体型洗濯乾燥設備と、を含み、洗濯方式に従って分類されると、一体型洗濯乾燥設備は、乾燥機能を有する一体型洗濯乾燥機と、乾燥機能を有するドラム洗濯機とに大別される。従来技術において、ドラム洗濯機では、乾燥システムの加熱モジュールによって空気が加熱され、加熱された空気を送風機で洗濯槽内に送り込むことで、熱風により洗濯槽内の衣類に作用して洗濯槽内の衣類が携帯する水分を高温高湿の蒸気となるように蒸発させて、高温高湿の蒸気が熱交換器に吸い込まれて、熱交換器で冷媒と熱交換、凝縮して凝縮水となり、凝縮水が熱交換器の内壁に沿って流出する。この過程で、乾燥システムと外部環境とが熱交換し、外部環境の温度が高いほど、乾燥システムと外部環境との交換熱量が相対的に少なくなり、乾燥システム内に多くの熱が入り込んで、乾燥システムの凝縮能力が加熱能力に対して弱くなることにより、乾燥システムの乾燥プログラムを自動的に起動する判定精度が低下し、ひいては衣類がまだ乾燥していないのに乾燥プログラムが起動せず、もしくは早めに終了する場合があり、ユーザの使用体験に大きく影響する。
【０００３】
上記課題を解決するために、従来の技術では、乾燥システムの乾燥ダクトに温度センサを設け、この温度センサが外部環境の温度を間接的に反映できるため、温度センサが検知した温度に基づいて加熱モジュールをオンにするのを制御することができる。しかしながら、従来の制御方法では、温度センサの検出温度が不正確であるという問題を考慮しておらず、乾燥プログラムが実行する過程において、1つの乾燥プログラムの実行が完了した後に次の乾燥プログラムが実行すると、前の乾燥プログラムの影響を受けて次の乾燥プログラムが実行する際に温度センサによって検出される温度が高くなり、加熱モジュールをオンにする必要があるか否かを正確に判定できず、ユーザの使用体験に大きく影響する。
【０００４】
従って、上述課題を解決するために、当分野では、新規の衣類処理設備用の制御方法及び衣類処理設備が必要とされている。
【発明の概要】
【０００５】
従来技術における上記課題を解決するために、即ち、従来の衣類処理設備では、加熱モジュールをオンにする必要があるか否かを正確に判定できないという問題を解決するために、本発明の技術案1は、加熱モジュールを含む衣類処理設備用の制御方法を提供しており、制御方法は、衣類処理設備が乾燥モードとされ、且つ加熱モジュールがオフ状態にある場合、環境温度を検出するステップと、環境温度に基づいて加熱モジュールのオン温度を修正するステップと、修正したオン温度に基づいて加熱モジュールを選択的にオンにするステップと、を含む。
【０００６】
上記制御方法の好ましい態様において、「環境温度に基づいて加熱モジュールのオン温度を修正する」というステップは、具体的に、環境温度とプリセット温度閾値とを比較することと、環境温度とプリセット温度閾値との比較結果に基づいてオン温度を修正することを含む。
【０００７】
上記制御方法の好ましい態様において、「環境温度とプリセット温度閾値との比較結果に基づいてオン温度を修正する」というステップは、具体的に、下記式に従ってオン温度を修正することを含む。Ton=a×T1+b、そのうち、Tonはオン温度、T1は環境温度、aは第1の修正係数、bは第2の修正係数であり、また、第1の修正係数aと第2の修正係数bの大きさは、環境温度T1の大きさに依存する。
【０００８】
上記制御方法の好ましい態様において、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【０００９】
上記制御方法の好ましい態様において、第1の修正係数a及び第2の修正係数bの大きさを、環境温度T1が第1のプリセット温度閾値以下である場合に、オン温度Tonは変化しない；環境温度T1が第1のプリセット温度閾値を超えるとともに第2のプリセット温度閾値以下である場合に、オン温度Tonは環境温度T1に反比例する；環境温度T1が第2のプリセット温度閾値を超えるとともに第3のプリセット温度閾値以下である場合に、オン温度Tonは環境温度T1に反比例する；環境温度T1が第3のプリセット温度閾値を超える場合に、オン温度Tonは変化しない、という状況となるように設定する。
【００１０】
上記制御方法の好ましい態様では、第1のプリセット温度閾値は10℃であり、「環境温度とプリセット温度閾値との比較結果に基づいてオン温度を修正する」というステップは、具体的に、環境温度T1が第1のプリセット温度閾値以下である場合、オン温度Tonに対応する第1の修正係数aと第2の修正係数bを、それぞれ0と110とすることを含む。
【００１１】
上記制御方法の好ましい態様では、第1のプリセット温度閾値は10℃であり、第2のプリセット温度閾値は25℃であり、「環境温度とプリセット温度閾値との比較結果に基づいてオン温度を修正する」というステップは、具体的に、環境温度T1が第1のプリセット温度閾値を超えるとともに第2のプリセット温度閾値以下である場合、オン温度Tonに対応する第1の修正係数a及び第2の修正係数bを、それぞれ-1.2、122とすることを含む。
【００１２】
上記制御方法の好ましい態様では、第2のプリセット温度閾値は25℃であり、第3のプリセット温度閾値は35℃であり、「環境温度とプリセット温度閾値との比較結果に基づいてオン温度を修正する」というステップは、具体的に、環境温度T1が第2のプリセット温度閾値を超えるとともに第3のプリセット温度閾値以下である場合、オン温度Tonに対応する第1の修正係数aと第2の修正係数bを、それぞれ-2、142とすることを含む。
【００１３】
上記制御方法の好ましい態様において、第3のプリセット温度閾値は35℃であり、「環境温度とプリセット温度閾値との比較結果に基づいてオン温度を修正する」というステップは、具体的に、環境温度T1が第3のプリセット温度閾値を超える場合、オン温度Tonに対応する第1の修正係数a及び第2の修正係数bを、それぞれ0、72とすることを含む。
【００１４】
また、本発明の技術案1では、加熱モジュールとともに、衣類処理設備が乾燥モードとされ、且つ加熱モジュールがオフ状態にある場合に環境温度を検出するための温度センサと、温度センサにより検出された環境温度に基づいて加熱モジュールのオン温度を修正するための温度修正モジュールと、修正したオン温度に基づいて加熱モジュールを選択的にオンにする制御モジュールと、を含む衣類処理設備を更に提供する。
【００１５】
当業者が理解出来ることは、本発明の制御方法の好ましい態様において、一体型洗濯乾燥機が乾燥モードとされ、且つ加熱モジュールがオフ状態にある場合に、環境温度を検出し、環境温度に基づいて加熱モジュールのオン温度を修正し、修正したオン温度に基づいて加熱モジュールを選択的にオンにする。従来のような検出した環境温度により直接に加熱モジュールのオンを制御する技術案と比べると、本発明は、加熱モジュールをオンにする制御の過程中、検出された環境温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥はまだ出来ていないのに乾燥プログラムが実行できなくなること、あるいは、早期に終了することを回避でき、一体型洗濯乾燥機の乾燥効果を高めて、さらにユーザの使用体験を向上させる。
【００１６】
さらに、環境温度とプリセット温度閾値とを比較し、環境温度とプリセット温度閾値との比較結果に基づいてオン温度を修正し、且つ、式Ton=a×T1+bに従ってオン温度を修正し、そのうち、第1の修正係数aと第2の修正係数bの大きさが環境温度T1の大きさに依存することで、加熱モジュールのオン温度を正確に修正することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００１７】
本発明の技術案2は、凝縮モジュール及び加熱モジュールを含む衣類処理設備用の制御方法を提供しており、制御方法は、衣類処理設備が乾燥モードとされ、且つ加熱モジュールがオフ状態にある場合、凝縮モジュールの冷却水温度を検出するステップと、冷却水温度に基づいて加熱モジュールのオン温度を修正するステップと、修正したオン温度に基づいて加熱モジュールを選択的にオンにするステップとを含む。
【００１８】
上記制御方法の好ましい態様において、「冷却水温度に基づいて加熱モジュールのオン温度を修正する」というステップは、具体的に、冷却水温度とプリセット温度閾値とを比較することと、冷却水温度とプリセット温度閾値との比較結果に基づいてオン温度を修正することを含む。
【００１９】
上記制御方法の好ましい態様において、「冷却水温度とプリセット温度閾値との比較結果に基づいてオン温度を修正する」というステップは、具体的に、下記式に従ってオン温度を修正することを含み、Ton=a×T1+b、そのうち、Tonはオン温度、T1は冷却水温度、aは第1の修正係数、bは第2の修正係数であり、また、第1の修正係数aと第2の修正係数bの大きさは、冷却水温度T1の大きさに依存する。
【００２０】
上記制御方法の好ましい態様において、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【００２１】
上記制御方法の好ましい態様において、第1の修正係数a及び第2の修正係数bの大きさを、冷却水温度T1が第1のプリセット温度閾値以下である場合に、オン温度Tonは変化しない；冷却水温度T1が第1のプリセット温度閾値を超えるとともに第2のプリセット温度閾値以下である場合に、オン温度Tonは冷却水温度T1に反比例する；冷却水温度T1が第2のプリセット温度閾値を超えるとともに第3のプリセット温度閾値以下である場合に、オン温度Tonは冷却水温度T1に反比例する；冷却水温度T1が第3のプリセット温度閾値を超える場合に、オン温度Tonは変化しない、という状況となるように設定する。
【００２２】
上記制御方法の好ましい態様では、第1のプリセット温度閾値は10℃であり、「冷却水温度とプリセット温度閾値との比較結果に基づいてオン温度を修正する」というステップは、具体的に、冷却水温度T1が第1のプリセット温度閾値以下である場合、オン温度Tonに対応する第1の修正係数aと第2の修正係数bを、それぞれ0と110とすることを含む。
【００２３】
上記制御方法の好ましい態様では、第1のプリセット温度閾値は10℃であり、第2のプリセット温度閾値は25℃であり、「冷却水温度とプリセット温度閾値との比較結果に基づいてオン温度を修正する」というステップは、具体的に、冷却水温度T1が第1のプリセット温度閾値を超えるとともに第2のプリセット温度閾値以下である場合、オン温度Tonに対応する第1の修正係数a及び第2の修正係数bを、それぞれ-1.2と122とすることを含む。
【００２４】
上記制御方法の好ましい態様では、第2のプリセット温度閾値は25℃であり、第3のプリセット温度閾値は35℃であり、「冷却水温度とプリセット温度閾値との比較結果に基づいてオン温度を修正する」というステップは、具体的に、冷却水温度T1が第2のプリセット温度閾値を超えるとともに第3のプリセット温度閾値以下である場合、オン温度Tonに対応する第1の修正係数aと第2の修正係数bを、それぞれ-2と142とすることを含む。
【００２５】
上記制御方法の好ましい態様において、第3のプリセット温度閾値は35℃であり、「冷却水温度とプリセット温度閾値との比較結果に基づいてオン温度を修正する」というステップは、具体的に、冷却水温度T1が第3のプリセット温度閾値を超える場合、オン温度Tonに対応する第1の修正係数a及び第2の修正係数bを、それぞれ0と72とすることを含む。
【００２６】
また、本発明の技術案2では、凝縮モジュールと加熱モジュールを含む衣類処理設備を更に提供しており、衣類処理設備はさらに、衣類処理設備が乾燥モードとされ、且つ加熱モジュールがオフ状態にある場合に凝縮モジュールの冷却水温度を検出するための温度センサと、温度センサにより検出された冷却水温度に基づいて加熱モジュールのオン温度を修正するための温度修正モジュールと、修正したオン温度に基づいて加熱モジュールを選択的にオンにする制御モジュールと、を含む。
【００２７】
当業者が理解出来ることは、本発明の制御方法の好ましい態様において、一体型洗濯乾燥機が乾燥モードとされ、且つ加熱モジュールがオフ状態にある場合に、凝縮モジュールの冷却水温度を検出し、冷却水温度に基づいて加熱モジュールのオン温度を修正し、修正したオン温度に基づいて加熱モジュールを選択的にオンにする。従来のような検出した環境温度により直接に加熱モジュールのオンを制御する技術案と比べると、本発明は、加熱モジュールをオンにする制御の過程中、検出された冷却水温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥はまだ出来ていないのに乾燥プログラムが実行できなくなること、あるいは、早期に終了することを回避でき、一体型洗濯乾燥機の乾燥効果を高めて、さらにユーザの使用体験を向上させる。
【００２８】
さらに、冷却水温度とプリセット温度閾値とを比較し、冷却水温度とプリセット温度閾値との比較結果に基づいてオン温度を修正し、且つ、式Ton=a×T1+bに従ってオン温度を修正し、そのうち、第1の修正係数aと第2の修正係数bの大きさが冷却水温度T1の大きさに依存することで、加熱モジュールのオン温度を正確に修正することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００２９】
本発明の技術案3は、凝縮モジュール及び加熱モジュールを含む衣類処理設備用の制御方法を提供しており、制御方法は、衣類処理設備が乾燥モードとされ、且つ加熱モジュールがオフ状態にある場合、環境温度並びに凝縮モジュールの冷却水温度を検出するステップと、環境温度並びに冷却水温度に基づいて加熱モジュールのオン温度を修正するステップと、修正したオン温度に基づいて加熱モジュールを選択的にオンにするステップとを含む。
【００３０】
上記制御方法の好ましい態様において、「環境温度並びに冷却水温度に基づいて加熱モジュールのオン温度を修正する」というステップは、具体的に、環境温度並びに冷却水温度とプリセット温度閾値とを比較することと、環境温度並びに冷却水温度とプリセット温度閾値との比較結果に基づいてオン温度を修正することを含む。
【００３１】
上記制御方法の好ましい態様において、「環境温度並びに冷却水温度とプリセット温度閾値との比較結果に基づいてオン温度を修正する」というステップは、具体的に、式Ton=a×T1+b×T2+c×T1×T2+dに従ってオン温度を修正することを含み、そのうち、Tonはオン温度、T1は環境温度、T2は冷却水温度、aは第1の修正係数、bは第2の修正係数、cは第3の修正係数、dは第4の修正係数であり、また、第1の修正係数a、第2の修正係数b、第3の修正係数c及び第4の修正係数dの大きさは、環境温度T1と冷却水温度T2の大きさに依存する。
【００３２】
上記制御方法の好ましい態様において、プリセット温度閾値は、第1のプリセット環境温度閾値と、第2のプリセット環境温度閾値と、第1のプリセット冷却水温度閾値と、第2のプリセット冷却水温度閾値とを含み、そのうち、第1のプリセット環境温度閾値は、第2のプリセット環境温度閾値より小さく、第1のプリセット冷却水温度閾値は、第2のプリセット冷却水温度閾値より小さい。
【００３３】
上記制御方法の好ましい態様において、第1の修正係数a、第2の修正係数b、第3の修正係数cと第4の修正係数dの大きさを、環境温度T1が第1のプリセット環境温度閾値以下であるとともに冷却水温度T2が第1のプリセット冷却水温度閾値以下である場合に、オン温度Tonは変化しない；環境温度T1が第1のプリセット環境温度閾値以下であるとともに冷却水温度T2が第1のプリセット冷却水温度閾値を超える場合に、オン温度Tonは、環境温度T1と冷却水温度T2とに反比例する；環境温度T1が第1のプリセット環境温度閾値を超えるとともに第2のプリセット環境温度閾値以下である場合に、オン温度Tonは、環境温度T1と冷却水温度T2とに反比例する；環境温度T1が第2のプリセット環境温度閾値を超えるとともに冷却水温度T2が第2のプリセット冷却水温度閾値以下である場合に、オン温度Tonは、環境温度T1と冷却水温度T2とに反比例する；環境温度T1が第2のプリセット環境温度閾値を超えるとともに冷却水温度T2が第2のプリセット冷却水温度閾値を超える場合に、オン温度Tonは変化しない、という状況となるように設定する。
【００３４】
上記制御方法の好ましい態様では、第1のプリセット環境温度閾値は10℃であり、第1のプリセット冷却水温度閾値は10℃であり、第2のプリセット冷却水温度閾値は35℃であり、「環境温度並びに冷却水温度とプリセット温度閾値との比較結果に基づいてオン温度を修正する」というステップは、具体的に、環境温度T1が第1のプリセット環境温度閾値以下であるとともに冷却水温度T2が第1のプリセット冷却水温度閾値以下である場合、オン温度Tonに対応する第1の修正係数a、第2の修正係数b、第3の修正係数c及び第4の修正係数dをそれぞれ0、0、0、110とする；環境温度T1が第1のプリセット環境温度閾値以下であるとともに冷却水温度T2が第1のプリセット冷却水温度閾値を超え且つ第2のプリセット冷却水温度閾値以下である場合、オン温度Tonに対応する第1の修正係数a、第2の修正係数b、第3の修正係数c及び第4の修正係数dを、それぞれ、-0.2、-0.2、0、114とする；環境温度T1が第1のプリセット環境温度閾値以下であるとともに冷却水温度T2が第2のプリセット冷却水温度閾値を超える場合、オン温度Tonに対応する第1の修正係数a、第2の修正係数b、第3の修正係数c及び第4の修正係数dを、それぞれ、-0.1、-0.3、0、110とすることを含む。
【００３５】
上記制御方法の好ましい態様において、第1のプリセット環境温度閾値は10℃であり、第2のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオン温度を修正する」というステップは、具体的に、環境温度T1が第1のプリセット環境温度閾値を超え且つ第2のプリセット環境温度閾値以下であるとともに冷却水温度T2が第1のプリセット冷却水温度閾値以下である場合、オン温度Tonに対応する第1の修正係数a、第2の修正係数b、第3の修正係数c及び第4の修正係数dを、それぞれ、-0.3、-0.1、0、114とする；環境温度T1が第1のプリセット環境温度閾値を超え且つ第2のプリセット環境温度閾値以下であるとともに冷却水温度T2が第1のプリセット冷却水温度閾値を超え且つ第2のプリセット冷却水温度閾値以下である場合に、オン温度Tonに対応する第1の修正係数a、第2の修正係数b、第3の修正係数c及び第4の修正係数dを、それぞれ、-0.3、-0.3、0、112とする；環境温度T1が第1のプリセット環境温度閾値を超え且つ第2のプリセット環境温度閾値以下であるとともに冷却水温度T2が第2のプリセット冷却水温度閾値を超える場合、オン温度Tonに対応する第1の修正係数a、第2の修正係数b、第3の修正係数c及び第4の修正係数dを、それぞれ、-0.4、-0.2、0、110とすることを含む。
【００３６】
上記制御方法の好ましい態様では、第2のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオン温度を修正する」というステップは、具体的に、環境温度T1が第2のプリセット環境温度閾値を超えるとともに冷却水温度T2が第1のプリセット冷却水温度閾値以下である場合、オン温度Tonに対応する第1の修正係数a、第2の修正係数b、第3の修正係数c及び第4の修正係数dを、それぞれ、-0.3、-0.1、0、114とする；環境温度T1が第2のプリセット環境温度閾値を超えるとともに冷却水温度T2が第1のプリセット冷却水温度閾値を超え且つ第2のプリセット冷却水温度閾値以下である場合、オン温度Tonに対応する第1の修正係数a、第2の修正係数b、第3の修正係数c及び第4の修正係数dを、それぞれ、-0.4、-0.2、0、110とすることを含む。
【００３７】
上記制御方法の好ましい態様では、環境温度T1が第2のプリセット環境温度閾値を超えるとともに冷却水温度T2が第2のプリセット冷却水温度閾値を超える場合、オン温度Tonに対応する第1の修正係数a、第2の修正係数b、第3の修正係数c及び第4の修正係数dを、それぞれ0、0、0、75とする。
【００３８】
また、本発明の技術案3は、凝縮モジュールと加熱モジュールを備える衣類処理設備を更に提供しており、衣類処理設備はさらに、衣類処理設備が乾燥モードとされ、且つ加熱モジュールがオフ状態にある場合に環境温度を検出するための環境温度センサと、衣類処理設備が乾燥モードとされ、且つ加熱モジュールがオフ状態にある場合に凝縮モジュールの冷却水温度を検出するための水温センサと、検出された環境温度並びに冷却水温度に基づいて加熱モジュールのオン温度を修正するための温度修正モジュールと、修正したオン温度に基づいて加熱モジュールを選択的にオンにする制御モジュールと、を含む。
【００３９】
当業者が理解出来ることは、本発明の制御方法の好ましい態様において、一体型洗濯乾燥機が乾燥モードとされ、且つ加熱モジュールがオフ状態にある場合に、環境温度並びに凝縮モジュールの冷却水温度を検出し、環境温度並びに冷却水温度に基づいて加熱モジュールのオン温度を修正し、修正したオン温度に基づいて加熱モジュールを選択的にオンにする。従来のような検出した環境温度により直接に加熱モジュールのオンを制御する技術案と比べると、本発明は、加熱モジュールをオンにする制御の過程中、検出された環境温度並びに冷却水温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００４０】
さらに、冷却水温度並びに環境温度とプリセット温度閾値とを比較し、冷却水温度並びに環境温度とプリセット温度閾値との比較結果に基づいてオン温度を修正し、且つ、式Ton=a×T1+b×T2+c×T1×T2+dに従ってオン温度を修正し、そのうち、第1の修正係数a、第2の修正係数b、第3の修正係数c及び第4の修正係数dの大きさが環境温度T1と冷却水温度T2の大きさに依存することで、加熱モジュールのオン温度を正確に修正することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【図面の簡単な説明】
【００４１】
以下、本発明の制御方法を図面に参照しながら、一体型洗濯乾燥機と合わせて説明する。図面においては以下となる。
【図１】本発明の実施例１に係る制御方法のフローチャートである。
【図２】本発明の実施例１に係る一つの実施例の制御方法のフローチャートである。
【図３】本発明の実施例１に係る一体型洗濯乾燥機のブロック概略図である。
【図４】本発明の実施例２に係る制御方法のフローチャートである。
【図５】本発明の実施例２に係る一つの実施例の制御方法のフローチャートである。
【図６】本発明の実施例２に係る一体型洗濯乾燥機のブロック概略図である。
【図７】本発明の実施例３に係る制御方法のフローチャートである。
【図８】本発明の実施例３に係る制御方法のフローチャートその一である。
【図９】本発明の実施例３に係る制御方法のフローチャートその二である。
【図１０】本発明の実施例３に係る制御方法のフローチャートその三である。
【図１１】本発明の実施例３に係る一体型洗濯乾燥機のブロック概略図である。
【発明を実施するための形態】
【００４２】
以下、本発明の好ましい実施形態を、図面を参照しながら説明する。当業者は、これらの実施形態が本発明の技術的原理を説明するためだけに使用され、本発明の保護範囲を制限するものではないと理解すべきである。例えば、本願について一体型洗濯乾燥機と合わせて説明するが、本発明の技術案はこれに限定されず、この制御方法は衣類乾燥機等他の衣類処理設備に適用可能であるのは言うまでもなく、このような変更は、本発明の原理や範囲から逸脱しない。
【００４３】
また、本願の記述において、「第1」、「第2」、「第3」という用語は、単に目的を説明するために使用されるものであり、相対的な重要性を示したり暗示したりするものと理解されるのは出来ない。
【００４４】
実施例１
背景技術において提出された課題に基づいて、本発明が一体型洗濯乾燥機用の制御方法を提供しており、その旨は、環境温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００４５】
図1乃至図3を参照すると、図1は、本発明の実施例１に係る制御方法のフローチャートであり、図2は、本発明の実施例１に係る一つの実施例の制御方法のフローチャートであり、図3は、本発明の実施例１に係る一体型洗濯乾燥機のブロック概略図である。図1に示すように、本発明の制御方法は、以下のステップを含む。
【００４６】
S1では、一体型洗濯乾燥機が乾燥モードとされ、且つ加熱モジュールがオフ状態にある場合、環境温度を検出する。
S2では、環境温度に基づいて加熱モジュールのオン温度を修正する。
S3では、修正したオン温度に基づいて加熱モジュールを選択的にオンにする。
【００４７】
好ましくは、環境温度は、プリセット時間閾値内で測定された環境の平均温度である。プリセット時間閾値は例えば1minであり、なお、プリセット時間閾値は、上記例示した時間に限定されず、プリセット時間閾値で環境温度を決定する要求を満たしているのであれば、当業者が実際の応用に応じてプリセット時間閾値を柔軟に調整できる。
【００４８】
一方、本発明は、一体型洗濯乾燥機を更に提供しており、図3に示すように、この一体型洗濯乾燥機は、ケーシングと、ケーシング内に設置された衣類処理槽と、加熱モジュールと、送風モジュールと、温度センサと、温度修正モジュールと、制御モジュールとを備える。空気を加熱するための加熱モジュールは、ケーシング内に設けられ、加熱モジュールが、送風モジュールを介して衣類処理槽に接続され、加熱モジュールで加熱された熱風を衣類処理槽内に搬送して衣類処理槽内の衣類を乾燥させる。温度センサは、ケーシングの外側に設けられ、環境温度を検出するために使用される。温度修正モジュールは制御モジュールに設けられ、温度センサにより検出された環境温度に基づいて加熱モジュールのオン温度を修正するために使用される。制御モジュールはケーシングに設けられ、修正したオン温度に基づいて加熱モジュールをオンにすることを制御する。勿論、加熱モジュール、送風モジュール、温度センサ、温度修正モジュール、及び制御モジュールの実際の取付位置は、上記例示した取付位置に限らず、当業者は、実際の応用で、加熱モジュールと、送風モジュールと、温度センサと、温度修正モジュールと、制御モジュールとの協働により、オン温度を修正することが出来るのであれば、加熱モジュール、送風モジュール、温度センサ、温度修正モジュール、制御モジュールの実際の取付位置を柔軟に設置することができる。
【００４９】
好ましくは、加熱モジュールは、加熱管、加熱ファン、ヒータ等の他の構成であり、ここでは係る説明を省略する。
【００５０】
好ましくは、送風モジュールは、ファンであり、その他の構成であってもよいが、ここでは係る説明を省略する。
【００５１】
好ましくは、温度センサは、赤外線温度センサであり、環境温度を検出するための他の種類のセンサ、例えば、RFセンサなどであってもよく、なお、環境温度の検出方法は本発明を制限すべきではない。
【００５２】
好ましくは、温度修正モジュールは、コンピュータソフトウェアで設計され、プリセット温度閾値に基づいて、温度センサの温度データを修正し、修正された温度データを制御モジュールに提供する。
【００５３】
好ましくは、制御モジュールは、温度センサによって検出された環境温度を識別でき、検出された環境温度に基づいて、加熱モジュールのオン温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【００５４】
上記ステップS2において、「環境温度に基づいて加熱モジュールのオン温度を修正する」というステップは、具体的には、下記内容を含む。
【００５５】
S21では、環境温度とプリセット温度閾値とを比較する。
S22では、環境温度とプリセット温度閾値との比較結果に基づいてオン温度を修正する。
【００５６】
上記制御方法によれば、加熱モジュールのオン温度を正確に修正することができ、加熱モジュールをオンにする制御を正確に行い、衣類の乾燥はまだ出来ていないのに乾燥プログラムが運行できなくなること、あるいは、早期に終了したことを回避でき、一体型洗濯乾燥機の乾燥効果を高めて、さらにユーザの使用体験を向上させる。
【００５７】
さらに、上記ステップS22において、「環境温度とプリセット温度閾値との比較結果に基づいてオン温度を修正する」というステップは、具体的に、以下の式に従ってオン温度を修正することを含む。
【００５８】
Ton=a×T1+b
そのうち、Tonはオン温度、
T1は環境温度、
aは第1の修正係数、
bは第2の修正係数である。
【００５９】
なお、第1の修正係数a及び第2の修正係数bの大きさは、環境温度T1の大きさに依存する。
【００６０】
上記ステップにおいて、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【００６１】
好ましくは、上記ステップS22において、「環境温度とプリセット温度閾値との比較結果に基づいてオン温度を修正する」というステップは、さらに下記内容を含む。
【００６２】
S221では、環境温度T1が第1のプリセット温度閾値以下であるか否かを判定する。
S222では、環境温度T1が第1のプリセット温度閾値以下である場合、オン温度Tonは変化しない。
S223では、環境温度T1が第1のプリセット温度閾値を超えるとともに第2のプリセット温度閾値以下であるか否かを判定する。
S224では、環境温度T1が第1のプリセット温度閾値を超えるとともに第2のプリセット温度閾値以下である場合、オン温度Tonは環境温度T1に反比例する。
S225では、環境温度T1が第2のプリセット温度閾値を超えるとともに第3のプリセット温度閾値以下であるか否かを判定する。
S226では、環境温度T1が第2のプリセット温度閾値を超えるとともに第3のプリセット温度閾値以下である場合、オン温度Tonは環境温度T1に反比例する。
S227では、環境温度T1が第3のプリセット温度閾値を超える場合、オン温度Tonは変化しない。
【００６３】
具体的には、上記ステップS222において、環境温度T1が第1のプリセット温度閾値以下である場合、環境温度が比較的低く、温度センサの検出精度に影響せず、加熱モジュールをオンにする必要があるか否かを正確に判定できることを示しており、オン温度Tonをそのままにする。つまり、オン温度Tonは、環境温度の変化によって変化しない。
【００６４】
好ましくは、上記ステップS224において、環境温度T1が第1のプリセット温度閾値を超えるとともに第2のプリセット温度閾値以下である場合、環境温度が比較的高く、温度センサの検出精度に影響を及ぼし、加熱モジュールをオンにする必要があるかどうかを正確に判定することができないことを示しており、オン温度Tonは環境温度T1に反比例するように設置されて、環境温度の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００６５】
好ましくは、上記ステップS226において、環境温度T1が第2のプリセット温度閾値を超えるとともに第3のプリセット温度閾値以下である場合、環境温度がかなり高く、温度センサの検出精度に影響を及ぼし、加熱モジュールをオンにする必要があるかどうかを正確に判定することができないことを示しており、オン温度Tonは環境温度T1に反比例するように設置されて、環境温度の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００６６】
好ましくは、上記ステップS227において、環境温度T1が第3のプリセット温度閾値を超える場合、環境温度が高すぎで、温度センサの検出精度に極めて大きく影響して加熱モジュールをオンにする必要があるか否かを正確に判定できないことを示しており、オン温度Tonをそのままにする。つまり、オン温度Tonが環境温度の変化によって変化しないことで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００６７】
上記の過程で、第1のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果も向上できる。なお、第1のプリセット温度閾値は、環境温度の最低温度であってもよいが、例えば、第1のプリセット温度閾値が10℃である場合、オン温度の修正案が最適となり、一体型洗濯乾燥機の乾燥効果を高める。勿論、上述した第1のプリセット温度閾値は、環境温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オン温度を修正する要求を満たすことができる限り、任意の温度に設定してもよい。
【００６８】
更に、第2のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果も向上できる。なお、第2のプリセット温度閾値の設定は実際の状況に応じて柔軟に調整や設定可能で、第2のプリセット温度閾値は例えば25℃であり、第2のプリセット温度閾値に決定された第1の修正係数と第2の修正係数とを選定する境界点が、オン温度を修正する要求を満たすことができる限り、任意の温度に設定してもよい。
【００６９】
更に、第3のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果も向上できる。発明者によって繰り返し試験、観測、分析、または比較することで、第3のプリセット温度閾値は、環境温度の最高温度であってもよいことが決定されるが、例えば、第3のプリセット温度閾値が35℃である場合、オン温度の修正案が最適となり、一体型洗濯乾燥機の乾燥効果を高める。実際の応用において、第3のプリセット温度閾値の実際値は、環境温度の最高温度に限らず、当業者が実験的又は経験的に得られた値であってもよい。
【００７０】
さらに説明すべきことは、上記方法で加熱モジュールのオフ温度を修正してもよい。修正したオン温度が修正したオフ温度より小さくなるように、オフ温度に対応する第1の修正係数及び第2の修正係数の少なくとも1つと、オン温度に対応する第1の修正係数及び第2の修正係数の少なくとも1つとは互いに異なる値にすればよい。勿論、加熱モジュールのオフ温度をある固定値に設定してもよい。上記2つの方案は、実際の使用ニーズに応じて選択してもよい。
【００７１】
好ましくは、環境温度T1が10℃(第1のプリセット温度閾値)以下である場合、オン温度Tonに対応する第1の修正係数aを0とし、第2の修正係数bを110とし、すなわちTon=110℃とする。
【００７２】
好ましくは、環境温度T1が10℃を超えるとともに25℃(第2のプリセット温度閾値)以下である場合、オン温度Tonに対応する第1の修正係数aを-1.2とし、第2の修正係数bを122とし、すなわちTon=-1.2×T1+122とする。
【００７３】
好ましくは、環境温度T1が25℃を超えるとともに35℃(第3のプリセット温度閾値)以下である場合、オン温度Tonに対応する第1の修正係数aを-2とし、第2の修正係数bを142とし、すなわちTon=-2×T1+142とする。
【００７４】
好ましくは、環境温度T1が35℃を超える場合、オン温度Tonに対応する第1の修正係数aを0とし、第2の修正係数bを72とし、すなわちTon=72℃とする。
【００７５】
勿論、第1の修正係数の値及び第2の修正係数の値は、上記例示した値に限定されず、実際の操作中で下記要求を満たしているのであれば、当業者が柔軟に調整できる。即ち、環境温度が第1のプリセット温度閾値以下である場合に、オン温度Tonは変化しない；環境温度が第2のプリセット温度閾値以下である場合に、オン温度Tonは環境温度T1に反比例する；環境温度が第3のプリセット温度閾値以下である場合に、オン温度Tonは環境温度T1に反比例する；環境温度が第3のプリセット温度閾値を超える場合に、オン温度Tonは変化しない。
【００７６】
以下、図2を参照して説明する。図2は本発明の実施例１に係る一つの実施例の制御方法のフローチャートである。
【００７７】
図2に示すように、ある可能な実施形態では、本発明の一体型洗濯乾燥機の制御方法の完全なるフローは下記であってもよい。
【００７８】
S1では、一体型洗濯乾燥機が乾燥モードとされ、且つ加熱モジュールがオフ状態にある場合、環境温度を検出する。
S21では、環境温度と10℃（第1のプリセット温度閾値）とを比較する。
S221では、環境温度が10℃以下であるか否かを判定する。
S222では、環境温度が10℃以下である場合、加熱モジュールのオン温度Ton=110℃とする。
S223では、環境温度が25℃（第2のプリセット温度閾値）以下であるか否かを判定する。
S224では、環境温度が25℃以下である場合、加熱モジュールのオン温度Ton=-1.2×T1+122とする。
S225では、環境温度が35℃（第3のプリセット温度閾値）以下であるか否かを判定する。
S226では、環境温度が35℃以下である場合、加熱モジュールのオン温度Ton=-2×T1+142とする。
S227では、環境温度が35℃を超える場合、加熱モジュールのオン温度Ton=72℃とする。
S3では、修正したオン温度Tonに基づいて加熱モジュールをオンにする。
【００７９】
勿論、具体的な実施形態において、先に環境温度と35℃とを比較し、35℃との比較結果に基づいて、25℃または10℃との比較を行うか否かを決定してもよいが、その実施は上記例示に挙げられた実施形態とは類似しており、ここでの説明を省略する。
【００８０】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに統合してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【００８１】
実施例２
背景技術において提出された課題に基づいて、本発明が一体型洗濯乾燥機用の制御方法を提供しており、その旨は、冷却水温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００８２】
図4乃至図6を参照すると、図4は、本発明の実施例２に係る制御方法のフローチャートであり、図5は、本発明の実施例２に係る一つの実施例の制御方法のフローチャートであり、図6は、本発明の実施例２に係る一体型洗濯乾燥機のブロック概略図である。図4に示すように、本発明の制御方法は、以下のステップを含む。
【００８３】
S1では、一体型洗濯乾燥機が乾燥モードとされ、且つ加熱モジュールがオフ状態にある場合、凝縮モジュールの冷却水温度を検出する。
S2では、冷却水温度に基づいて加熱モジュールのオン温度を修正する。
S3では、修正したオン温度に基づいて加熱モジュールを選択的にオンにする。
【００８４】
好ましくは、冷却水温度は、プリセット時間閾値内で測定された冷却水の平均温度である。プリセット時間閾値は例えば1minであり、なお、プリセット時間閾値は、上記例示した時間に限定されず、プリセット時間閾値で冷却水温度を決定する要求を満たしているのであれば、当業者が実際の応用に応じてプリセット時間閾値を柔軟に調整できる。
【００８５】
一方、本発明は、一体型洗濯乾燥機を更に提供しており、図6に示すように、この一体型洗濯乾燥機は、ケーシングと、ケーシング内に設置された衣類処理槽と、凝縮モジュールと、加熱モジュールと、送風モジュールと、温度センサと、温度修正モジュールと、制御モジュールとを備え、空気を加熱するための加熱モジュールはケーシング内に設けられる。乾燥中で発生した高温高湿の蒸気を凝縮するための凝縮モジュールはケーシング内に設けられる。加熱モジュールが、送風モジュールを介して衣類処理槽に接続され、加熱モジュールで加熱された熱風を衣類処理槽内に搬送して衣類処理槽内の衣類を乾燥させる。冷却水温度を検出するための温度センサは一体型洗濯乾燥機の電磁弁内に設けられる。温度修正モジュールは制御モジュールに設けられ、温度センサにより検出された冷却水温度に基づいて加熱モジュールのオン温度を修正するために使用される。制御モジュールはケーシングに設けられ、修正したオン温度に基づいて加熱モジュールをオンにすることを制御する。勿論、加熱モジュール、送風モジュール、温度センサ、温度修正モジュール、及び制御モジュールの実際の取付位置は、上記例示した取付位置に限らず、当業者は、実際の応用で、加熱モジュールと、送風モジュールと、温度センサと、温度修正モジュールと、制御モジュールとの協働により、オン温度を修正することが出来れば、加熱モジュール、送風モジュール、温度センサ、温度修正モジュール、制御モジュールの実際の取付位置を柔軟に設置することができる。
【００８６】
好ましくは、凝縮モジュールは、凝縮器、凝縮管等の他の構成であり、ここでは係る説明を省略する。
【００８７】
好ましくは、加熱モジュールは、加熱管、加熱ファン、ヒータ等の他の構成であり、ここでは係る説明を省略する。
【００８８】
好ましくは、送風モジュールは、ファンであり、その他の構成であってもよいが、ここでは係る説明を省略する。
【００８９】
好ましくは、温度センサは、赤外線温度センサであり、冷却水温度を検出するための他の種類のセンサ、例えば、RFセンサなどであってもよく、なお、冷却水温度の検出方法は本発明を制限すべきではない。
【００９０】
好ましくは、温度修正モジュールは、コンピュータソフトウェアで設計され、プリセット温度閾値に基づいて、温度センサの温度データを修正し、修正された温度データを制御モジュールに提供する。
【００９１】
好ましくは、制御モジュールは、温度センサによって検出された冷却水温度を識別でき、検出された冷却水温度に基づいて、加熱モジュールのオン温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【００９２】
上記ステップS2において、「冷却水温度に基づいて加熱モジュールのオン温度を修正する」というステップは、具体的には、下記内容を含む。
【００９３】
S21では、冷却水温度とプリセット温度閾値とを比較する。
S22では、冷却水温度とプリセット温度閾値との比較結果に基づいてオン温度を修正する。
【００９４】
上記制御方法によれば、加熱モジュールのオン温度を正確に修正することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【００９５】
さらに、上記ステップS22において、「冷却水温度とプリセット温度閾値との比較結果に基づいてオン温度を修正する」というステップは、具体的に、以下の式に従ってオン温度を修正することを含む。
【００９６】
Ton=a×T1+b
そのうち、Tonはオン温度、
T1は冷却水温度、
aは第1の修正係数、
bは第2の修正係数である。
【００９７】
なお、第1の修正係数a及び第2の修正係数bの大きさは、冷却水温度T1の大きさに依存する。
【００９８】
上記ステップにおいて、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【００９９】
好ましくは、上記ステップS22において、「冷却水温度とプリセット温度閾値との比較結果に基づいてオン温度を修正する」というステップは、さらに下記内容を含む。
【０１００】
S221では、冷却水温度T1が第1のプリセット温度閾値以下であるか否かを判定する。
S222では、冷却水温度T1が第1のプリセット温度閾値以下である場合、オン温度Tonは変化しない。
S223では、冷却水温度T1が第1のプリセット温度閾値を超えるとともに第2のプリセット温度閾値以下であるか否かを判定する。
S224では、冷却水温度T1が第1のプリセット温度閾値を超えるとともに第2のプリセット温度閾値以下である場合、オン温度Tonは冷却水温度T1に反比例する。
S225では、冷却水温度T1が第2のプリセット温度閾値を超えるとともに第3のプリセット温度閾値以下であるか否かを判定する。
S226では、冷却水温度T1が第2のプリセット温度閾値を超えるとともに第3のプリセット温度閾値以下である場合、オン温度Tonは冷却水温度T1に反比例する。
S227では、冷却水温度T1が第3のプリセット温度閾値を超える場合、オン温度Tonは変化しない。
【０１０１】
具体的には、上記ステップS222において、冷却水温度T1が第1のプリセット温度閾値以下である場合、冷却水温度が比較的低く、温度センサの検出精度に影響せず、加熱モジュールをオンにする必要があるか否かを正確に判定できることを示しており、オン温度Tonをそのままにする。つまり、オン温度Tonは、冷却水温度の変化によって変化しない。
【０１０２】
好ましくは、上記ステップS224において、冷却水温度T1が第1のプリセット温度閾値を超えるとともに第2のプリセット温度閾値以下である場合、冷却水温度が比較的高く、温度センサの検出精度に影響を及ぼし、加熱モジュールをオンにする必要があるかどうかを正確に判定することができないことを示しており、オン温度Tonは冷却水温度T1に反比例するように設置されて、冷却水温度の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１０３】
好ましくは、上記ステップS226において、冷却水温度T1が第2のプリセット温度閾値を超えるとともに第3のプリセット温度閾値以下である場合、冷却水温度がかなり高く、温度センサの検出精度に影響を及ぼし、加熱モジュールをオンにする必要があるかどうかを正確に判定することができないことを示しており、オン温度Tonは冷却水温度T1に反比例するように設置されて、冷却水温度の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１０４】
好ましくは、上記ステップS227において、冷却水温度T1が第3のプリセット温度閾値を超える場合、冷却水温度が高すぎで、温度センサの検出精度に極めて大きく影響して加熱モジュールをオンにする必要があるか否かを正確に判定できないことを示しており、オン温度Tonをそのままにする。つまり、オン温度Tonが冷却水温度の変化によって変化しないことで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１０５】
上記の過程で、第1のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果を向上できる。なお、第1のプリセット温度閾値は、冷却水温度の最低温度であってもよいが、例えば、第1のプリセット温度閾値が10℃である場合、オン温度の修正案が最適となり、一体型洗濯乾燥機の乾燥効果を高める。勿論、上述した第1のプリセット温度閾値は、冷却水温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オン温度を修正する要求を満たすことができる限り、任意の温度に設定してもよい。
【０１０６】
更に、第2のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果を向上できる。なお、第2のプリセット温度閾値の設定は実際の状況に応じて柔軟に調整や設定可能で、第2のプリセット温度閾値は例えば25℃であり、第2のプリセット温度閾値に決定された第1の修正係数と第2の修正係数とを選定する境界点が、オン温度を修正する要求を満たすことができる限り、任意の温度に設定してもよい。
【０１０７】
更に、第3のプリセット温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果を向上できる。発明者によって繰り返し試験、観測、分析、または比較することで、第3のプリセット温度閾値は、冷却水温度の最高温度であってもよいことが決定されるが、例えば、第3のプリセット温度閾値が35℃である場合、オン温度の修正案が最適となり、一体型洗濯乾燥機の乾燥効果を高める。実際の応用において、第3のプリセット温度閾値の実際値は、冷却水温度の最高温度に限らず、当業者が実験的又は経験的に得た値であってもよい。
【０１０８】
さらに説明すべきことは、上記方法で加熱モジュールのオフ温度を修正してもよい。修正したオン温度が修正したオフ温度より小さくなるように、オフ温度に対応する第1の修正係数及び第2の修正係数の少なくとも1つと、オン温度に対応する第1の修正係数及び第2の修正係数の少なくとも1つとは互いに異なる値にすればよい。勿論、加熱モジュールのオフ温度をある固定値に設定してもよい。上記2つの方案は、実際の使用ニーズに応じて選択してもよい。
【０１０９】
好ましくは、冷却水温度T1が10℃(第1のプリセット温度閾値)以下である場合、オン温度Tonに対応する第1の修正係数aを0とし、第2の修正係数bを110とし、すなわちTon=110℃とする。
【０１１０】
好ましくは、冷却水温度T1が10℃を超えるとともに25℃(第2のプリセット温度閾値)以下である場合、オン温度Tonに対応する第1の修正係数aを-1.2とし、第2の修正係数bを122とし、すなわちTon=-1.2×T1+122とする。
【０１１１】
好ましくは、冷却水温度T1が25℃を超えるとともに35℃(第3のプリセット温度閾値)以下である場合、オン温度Tonに対応する第1の修正係数aを-2とし、第2の修正係数bを142とし、すなわちTon=-2×T1+142とする。
【０１１２】
好ましくは、冷却水温度T1が35℃を超える場合、オン温度Tonに対応する第1の修正係数aを0とし、第2の修正係数bを72とし、すなわちTon=72℃とする。
【０１１３】
勿論、第1の修正係数の値及び第2の修正係数の値は、上記例示した値に限定されず、実際の操作中で下記要求を満たしているのであれば、当業者が柔軟に調整できる。即ち、冷却水温度が第1のプリセット温度閾値以下である場合に、オン温度Tonは変化しない；冷却水温度が第2のプリセット温度閾値以下である場合に、オン温度Tonは冷却水温度T1に反比例する；冷却水温度が第3のプリセット温度閾値以下である場合に、オン温度Tonは冷却水温度T1に反比例する；冷却水温度が第3のプリセット温度閾値を超える場合に、オン温度Tonは変化しない。
【０１１４】
以下、図5を参照して説明する。図5は本発明の実施例２に係る一つの実施例の制御方法のフローチャートである。
【０１１５】
図5に示すように、ある可能な実施形態では、本発明の一体型洗濯乾燥機の制御方法の完全なるフローは下記であってもよい。
【０１１６】
S1では、一体型洗濯乾燥機が乾燥モードとされ、且つ加熱モジュールがオフ状態にある場合、凝縮モジュールの冷却水温度を検出する。
S21では、冷却水温度と10℃（第1のプリセット温度閾値）とを比較する。
S221では、冷却水温度が10℃以下であるか否かを判定する。
S222では、冷却水温度が10℃以下である場合、加熱モジュールのオン温度Ton=110℃とする。
S223では、冷却水温度が25℃（第2のプリセット温度閾値）以下であるか否かを判定する。
S224では、冷却水温度が25℃以下である場合、加熱モジュールのオン温度Ton=-1.2×T1+122とする。
S225では、冷却水温度が35℃（第3のプリセット温度閾値）以下であるか否かを判定する。
S226では、冷却水温度が35℃以下である場合、加熱モジュールのオン温度Ton=-2×T1+142とする。
S227では、冷却水温度が35℃を超える場合、加熱モジュールのオン温度Ton=72℃とする。
S3では、修正したオン温度Tonに基づいて加熱モジュールをオンにする。
【０１１７】
勿論、具体的な実施形態において、まず冷却水温度と35℃とを比較し、35℃との比較結果に基づいて、25℃または10℃との比較を行うか否かを決定してもよいが、その実施は上記例示に挙げられた実施形態とは類似しており、ここでの説明を省略する。
【０１１８】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに合併してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【０１１９】
実施例３
背景技術において提出された課題に基づいて、本発明が一体型洗濯乾燥機用の制御方法を提供しており、その旨は、環境温度並びに冷却水温度によって加熱モジュールのオン温度を修正することで、温度センサの検出誤差によるオン温度判定の正確性への影響を大きく低減し、加熱モジュールのオン温度を正確に判定することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１２０】
図7から図11を参照すると、図7は本発明の実施例３に係る制御方法のフローチャートであり、図8は本発明の実施例３に係る制御方法のフローチャートその一であり、図9は本発明の実施例３に係る制御方法のフローチャートその２であり、図10は本発明の実施例２に係る制御方法のフローチャートその３であり、図11は本発明の実施例３に係る一体型洗濯乾燥機のブロック概略図である。図7に示すように、本発明の制御方法は、以下のステップを含む。
【０１２１】
S1では、一体型洗濯乾燥機が乾燥モードとされ、且つ加熱モジュールがオフ状態にある場合、環境温度と凝縮モジュールの冷却水温度を検出する。
S2では、環境温度並びに冷却水温度に基づいて加熱モジュールのオン温度を修正する。
S3では、修正したオン温度に基づいて加熱モジュールを選択的にオンにする。
【０１２２】
好ましくは、環境温度は、第1のプリセット時間閾値内で測定された環境の平均温度であり、第1のプリセット時間閾値は例えば1minであり、冷却水温度は、第2のプリセット時間閾値内で測定された冷却水の平均温度であり、第2のプリセット時間閾値は例えば1minである。勿論、第1のプリセット時間閾値と第2のプリセット時間閾値は、上記例示した時間に限定されず、第1のプリセット時間閾値と第2のプリセット時間閾値で環境温度と冷却水温度を決定する要求を満たしているのであれば、当業者が実際の応用に応じて第1のプリセット時間閾値と第2のプリセット時間閾値を柔軟に調整できる。
【０１２３】
一方、本発明は、一体型洗濯乾燥機を更に提供しており、図11に示すように、この一体型洗濯乾燥機は、ケーシングと、ケーシング内に設置された衣類処理槽と、凝縮モジュールと、加熱モジュールと、送風モジュールと、環境温度センサと、水温センサと、温度修正モジュールと、制御モジュールとを備える。空気を加熱するための加熱モジュールはケーシング内に設けられる。乾燥中で発生された高温高湿の蒸気を凝縮するための凝縮モジュールはケーシング内に設けられる。加熱モジュールが、送風モジュールを介して衣類処理槽に接続され、加熱モジュールで加熱された熱風を衣類処理槽内に搬送して衣類処理槽内の衣類を乾燥させる。環境温度センサは、ケーシングの外側に設けられ、環境温度を検出するために使用される。水温センサは、一体型洗濯乾燥機の電磁弁内に設けられ、冷却水の温度を検出するために使用される。温度修正モジュールは制御モジュールに設けられ、温度センサにより検出された冷却水温度に基づいて加熱モジュールのオン温度を修正するために使用される。制御モジュールはケーシングに設けられ、修正したオン温度に基づいて加熱モジュールをオンにすることを制御する。勿論、加熱モジュール、送風モジュール、環境温度センサ、水温センサ、温度修正モジュール、及び制御モジュールの実際の取付位置は、上記例示した取付位置に限らず、当業者は、実際の応用で、加熱モジュールと、送風モジュールと、温度センサと、温度修正モジュールと、制御モジュールとの協働により、オン温度を修正することが出来れば、加熱モジュール、送風モジュール、環境温度センサ、水温センサ、温度修正モジュール、制御モジュールの実際の取付位置を柔軟に設置することができる。
【０１２４】
好ましくは、凝縮モジュールは、凝縮器、凝縮管等の構成であり、ここでは係る説明を省略する。
【０１２５】
好ましくは、加熱モジュールは、加熱管、加熱ファン、ヒータ等の構成であり、ここでは係る説明を省略する。
【０１２６】
好ましくは、送風モジュールは、ファンであり、その他の構成であってもよいが、ここでは係る説明を省略する。
【０１２７】
好ましくは、環境温度センサ、水温センサは、赤外線温度センサであり、環境温度並びに冷却水温度を検出するための他の種類のセンサ、例えば、RFセンサなどであってもよく、なお、環境温度並びに冷却水温度の検出方法は本発明を制限すべきではない。
【０１２８】
好ましくは、温度修正モジュールは、コンピュータソフトウェアで設計され、プリセット温度閾値に基づいて、温度センサの温度データを修正し、修正された温度データを制御モジュールに提供する。
【０１２９】
好ましくは、制御モジュールは、温度センサによって検出された冷却水温度を識別でき、検出された冷却水温度に基づいて、加熱モジュールのオン温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【０１３０】
上記ステップS2において、「環境温度並びに冷却水温度に基づいて加熱モジュールのオン温度を修正する」というステップは、具体的には、下記内容を含む。
【０１３１】
S21では、環境温度並びに冷却水温度とプリセット温度閾値とを比較する。
S22では、環境温度並びに冷却水温度とプリセット温度閾値との比較結果に基づいてオン温度を修正する。
【０１３２】
上記制御方法によれば、加熱モジュールのオン温度を正確に修正することができ、加熱モジュールをオンにする制御を正確に行い、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１３３】
さらに、上記ステップS22において、「環境温度並びに冷却水温度とプリセット温度閾値との比較結果に基づいてオン温度を修正する」というステップは、具体的に、以下の式に従ってオン温度を修正することを含む。
【０１３４】
Ton=a×T1+b×T2+c×T1×T2+d
そのうち、Tonはオン温度、
T1は環境温度、
T2は冷却水温度、
aは第1の修正係数、
bは第2の修正係数、
cは第3の修正係数、
dは第4の修正係数である。
【０１３５】
なお、第1の修正係数a、第2の修正係数b、第3の修正係数c及び第4の修正係数dの大きさは、環境温度T1及び冷却水温度T2の大きさに依存する。
【０１３６】
上記ステップにおいて、プリセット温度閾値は、第1のプリセット環境温度閾値と、第2のプリセット環境温度閾値と、第1のプリセット冷却水温度閾値と、第2のプリセット冷却水温度閾値とを含み、そのうち、第1のプリセット環境温度閾値は、第2のプリセット環境温度閾値より小さく、第1のプリセット冷却水温度閾値は、第2のプリセット冷却水温度閾値より小さい。
【０１３７】
好ましくは、上記ステップS22において、「冷却水温度とプリセット温度閾値との比較結果に基づいてオン温度を修正する」というステップは、さらに下記内容を含む。
【０１３８】
S221では、環境温度T1が第1のプリセット環境温度閾値以下であるか否か、冷却水温度T2が第1のプリセット冷却水温度閾値以下であるか否かを判定する。
S222では、環境温度T1が第1のプリセット環境温度閾値以下であるとともに冷却水温度T2が第1のプリセット冷却水温度閾値以下である場合、オン温度Tonは変化しない。
S223では、環境温度T1が第1のプリセット環境温度閾値以下であるか否か、且つ冷却水温度T2が第1のプリセット冷却水温度閾値を超えるか否かを判定する。
S224では、環境温度T1が第1のプリセット環境温度閾値以下であるとともに冷却水温度T2が第1のプリセット冷却水温度閾値を超える場合、オン温度Tonは環境温度T1と冷却水温度T2に反比例する。
S225では、環境温度T1が第1のプリセット環境温度閾値を超えるとともに第2のプリセット環境温度閾値以下であるか否かを判定する。
S226では、環境温度T1が第1のプリセット環境温度閾値を超えるとともに第2のプリセット環境温度閾値以下である場合、オン温度Tonは環境温度T1と冷却水温度T2に反比例する。
S227では、環境温度T1が第2のプリセット環境温度閾値を超えるとともに冷却水温度T2が第2のプリセット冷却水温度閾値以下であるか否かを判定する。
S228では、環境温度T1が第2のプリセット環境温度閾値を超えるとともに冷却水温度T2が第2のプリセット冷却水温度閾値以下である場合、オン温度Tonは環境温度T1と冷却水温度T2に反比例する。
S229では、環境温度T1が第2のプリセット環境温度閾値を超えるか否か、且つ冷却水温度T2が第2のプリセット冷却水温度閾値を超えるか否かを判定する。
S230では、環境温度T1が第2のプリセット環境温度閾値を超えるとともに冷却水温度T2が第2のプリセット冷却水温度閾値を超える場合、オン温度Tonは変化しない。
【０１３９】
具体的には、上記ステップS222において、環境温度T1が第1のプリセット環境温度閾値以下であるとともに冷却水温度T2が第1のプリセット冷却水温度閾値以下である場合、環境温度と冷却水温度がいずれも比較的低く、温度センサの検出精度に影響せず、加熱モジュールをオンにする必要があるか否かを正確に判定できることを示しており、オン温度Tonをそのままにする。つまり、オン温度Tonは、環境温度T1と冷却水温度T2の変化によって変化しない。
【０１４０】
好ましくは、上記ステップS224において、環境温度T1が第1のプリセット環境温度閾値以下であるとともに冷却水温度T2が第1のプリセット冷却水温度閾値を超える場合、環境温度T1が比較的低いであるが、冷却水温度T2が比較的高く、温度センサの検出精度に影響を及ぼし、加熱モジュールをオンにする必要があるかどうかを正確に判定することができないことを示しており、オン温度Tonは環境温度T1と冷却水温度T2に反比例するように設置されて、環境温度T1と冷却水温度T2の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１４１】
好ましくは、上記ステップS226において、環境温度T1が第1のプリセット環境温度閾値を超えるとともに第2のプリセット環境温度閾値以下である場合、環境温度が比較的高く、冷却水温度を問わずに温度センサの検出精度に影響を及ぼし、加熱モジュールをオンにする必要があるかどうかを正確に判定することができないことを示しており、オン温度Tonは環境温度T1と冷却水温度T2に反比例するように設置されて、環境温度T1と冷却水温度T2の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１４２】
好ましくは、上記ステップS228において、環境温度T1が第2のプリセット環境温度閾値を超えるとともに冷却水温度T2が第2のプリセット冷却水温度閾値以下である場合、環境温度が高すぎで冷却水温度が比較的高く、温度センサの検出精度に影響を及ぼし、加熱モジュールをオンにする必要があるかどうかを正確に判定することができないことを示しており、オン温度Tonは環境温度T1と冷却水温度T2に反比例するように設置されて、環境温度T1と冷却水温度T2の上昇に伴ってオン温度Tonが低下となり加熱モジュールのオン温度を下げることで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１４３】
好ましくは、上記ステップS230において、環境温度T1が第2のプリセット環境温度閾値を超えるとともに冷却水温度T2が第2のプリセット冷却水温度閾値を超える場合、環境温度と冷却水温度のいずれも高すぎで、温度センサの検出精度に極めて大きく影響して加熱モジュールをオンにする必要があるか否かを正確に判定できないことを示しており、オン温度Tonをそのままにする。つまり、オン温度Tonが環境温度T1と冷却水温度T2の変化によって変化しないことで、衣類の乾燥がまだ出来ていないのに乾燥プログラムが実行できなくなること、あるいは、早期に終了することを回避でき、一体型洗濯乾燥機の乾燥効果を高めて、さらにユーザの使用体験を向上させる。
【０１４４】
上記の過程で、第1のプリセット環境温度閾値と第1のプリセット冷却水温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果を向上できる。なお、第1のプリセット環境温度閾値は、環境温度の最低温度であってもよく、第1のプリセット冷却水温度閾値は、冷却水温度の最低温度であってもよいが、例えば、第1のプリセット環境温度閾値が10℃であり、第1のプリセット冷却水温度閾値が10℃である場合、オン温度の修正案が最適となり、一体型洗濯乾燥機の乾燥効果を高める。勿論、第1のプリセット環境温度閾値と第1のプリセット冷却水温度閾値は、上記例示した温度に限らず、他の温度、例えば、当業者が特定な動作状態での実験から求められた実験温度、あるいは経験的に得られた経験温度であってもよく、第1のプリセット環境温度閾値と第1のプリセット冷却水温度閾値に決定された第1の修正係数、第2の修正係数、第3の修正係数、第4の修正係数を選定する境界点が、オン温度を修正する要求を満たすことができる限り、任意の温度に設定してもよい。
【０１４５】
更に、第2のプリセット環境温度閾値と第2のプリセット冷却水温度閾値の設定により、一体型洗濯乾燥機は異なる場合に最適な修正モードを採用することができるように、オン温度の修正をどのように行うかについての結論を更に出して、加熱モジュールのオン温度を正確に判定することができ、一体型洗濯乾燥機の乾燥効果を向上できる。なお、第2のプリセット環境温度閾値と第2のプリセット冷却水温度閾値の設定は実際の状況に応じて柔軟に調整や設定可能で、例えば第2のプリセット環境温度閾値は35℃であり、第2のプリセット冷却水温度閾値は35℃であり、第2のプリセット環境温度閾値と第2のプリセット冷却水温度閾値に決定された第1の修正係数と第2の修正係数とを選定する境界点が、オン温度を修正する要求を満たすことができる限り、任意の温度に設定してもよい。
【０１４６】
さらに説明すべきことは、上記方法で加熱モジュールのオフ温度を修正してもよい。修正したオン温度が修正したオフ温度より小さくなるように、オフ温度に対応する第1の修正係数及び第2の修正係数の少なくとも1つと、オン温度に対応する第1の修正係数及び第2の修正係数の少なくとも1つとは互いに異なる値にすればよい。勿論、加熱モジュールのオフ温度をある固定値に設定してもよい。上記2つの方案は、実際の使用ニーズに応じて選択してもよい。
【０１４７】
好ましくは、環境温度T1が10℃（第1のプリセット環境温度閾値）以下であるとともに冷却水温度T2が10℃（第1のプリセット冷却水温度閾値）以下である場合、オン温度Tonに対応する第1の修正係数aを0とし、第2の修正係数bを0とし、第3の修正係数cを0とし、第4の修正係数dを110とし、即ちTon=110℃とする。
【０１４８】
好ましくは、環境温度T1が10℃以下であるとともに冷却水温度T2が10℃を超え且つ35℃（第2のプリセット冷却水温度閾値）以下である場合、オン温度Tonに対応する第1の修正係数aを-0.2とし、第2の修正係数bを-0.2とし、第3の修正係数cを0とし、第4の修正係数dを114とし、即ちTon=-0.2×T1-0.2×T2+114とする。
【０１４９】
好ましくは、環境温度T1が第1のプリセット環境温度閾値以下であるとともに冷却水温度T2が第2のプリセット冷却水温度閾値を超える場合、オン温度Tonに対応する第1の修正係数aを-0.1とし、第2の修正係数bを-0.3とし、第3の修正係数cを0とし、第4の修正係数dを110とし、即ちTon=-0.1×T1-0.3×T2+110とする。
【０１５０】
好ましくは、環境温度T1が第1のプリセット環境温度閾値を超えるとともに第2のプリセット環境温度閾値以下であり、冷却水温度T2が第1のプリセット冷却水温度閾値以下である場合、オン温度Tonに対応する第1の修正係数aを-0.3とし、第2の修正係数bを-0.1とし、第3の修正係数cを0とし、第4の修正係数dを114とし、即ちTon=-0.3×T1-0.1×T2+114とする。
【０１５１】
好ましくは、環境温度T1が第1のプリセット環境温度閾値を超えるとともに第2のプリセット環境温度閾値以下であり、冷却水温度T2が第1のプリセット冷却水温度閾値を超えるとともに第2のプリセット冷却水温度閾値以下である場合、オン温度Tonに対応する第1の修正係数aを-0.3とし、第2の修正係数bを-0.3とし、第3の修正係数cを0とし、第4の修正係数dを112とし、即ちTon=-0.3×T1-0.3×T2+112とする。
【０１５２】
好ましくは、環境温度T1が第1のプリセット環境温度閾値を超えるとともに第2のプリセット環境温度閾値以下であり、冷却水温度T2が第2のプリセット冷却水温度閾値を超える場合、オン温度Tonに対応する第1の修正係数aを-0.4とし、第2の修正係数bを-0.2とし、第3の修正係数cを0とし、第4の修正係数dを110とし、即ちTon=-0.4×T1-0.2×T2+110とする。
【０１５３】
好ましくは、環境温度T1が第2のプリセット環境温度閾値を超えるとともに冷却水温度T2が第1のプリセット冷却水温度閾値以下である場合、オン温度Tonに対応する第1の修正係数aを-0.3とし、第2の修正係数bを-0.1とし、第3の修正係数cを0とし、第4の修正係数dを114とし、即ちTon=-0.3×T1-0.1×T2+114とする。
【０１５４】
好ましくは、環境温度T1が第2のプリセット環境温度閾値を超え、冷却水温度T2が第1のプリセット冷却水温度閾値を超えるとともに第2のプリセット冷却水温度閾値以下である場合、オン温度Tonに対応する第1の修正係数aを-0.4とし、第2の修正係数bを-0.2とし、第3の修正係数cを0とし、第4の修正係数dを110とし、即ちTon=-0.4×T1-0.2×T2+110とする。
【０１５５】
好ましくは、環境温度T1が第2のプリセット環境温度閾値を超えるとともに冷却水温度T2が第2のプリセット冷却水温度閾値を超える場合、オン温度Tonに対応する第1の修正係数aを0とし、第2の修正係数bを0とし、第3の修正係数cを0とし、第4の修正係数dを75とし、即ちTon=75℃とする。
【０１５６】
勿論、第1の修正係数、第2の修正係数、第3の修正係数及び第4の修正係数の値は、上記例示の値に限らず、当業者が、実際の操作中で柔軟に調整することができる。
【０１５７】
以下、図8を参照して説明する。図8は本発明の実施例３に係る第１の実施例の制御方法のフローチャートである。
【０１５８】
図8に示すように、ある可能な実施形態では、本発明の一体型洗濯乾燥機の制御方法のフローは下記であってもよい。
【０１５９】
S1では、一体型洗濯乾燥機が乾燥モードとされ、且つ加熱モジュールがオフ状態にある場合、環境温度並びに凝縮モジュールの冷却水温度を検出する。
S21では、環境温度と10℃（第1のプリセット環境温度閾値）とを比較する。
S2211では、環境温度が10℃以下であるか否かを判定する。
S2212では、「YES」の場合、冷却水温度が10℃以下であるか否かを判定する。
S222では、冷却水温度T2が10℃（第1のプリセット冷却水温度閾値）以下である場合、加熱モジュールのオン温度Ton=110℃とする。
S2231では、「NO」の場合、冷却水温度が35℃（第2のプリセット冷却水温度閾値）以下であるか否かを判定する。
S2241では、冷却水温度が35℃以下である場合、加熱モジュールのオン温度Ton=-0.2×T1-0.2×T2+114とする。
S2242では、冷却水温度が35℃を超える場合、加熱モジュールのオン温度Ton=-0.1×T1-0.3×T2+110とする。
S3では、修正したオン温度Tonに基づいて加熱モジュールをオンにする。
【０１６０】
上記実施例において、環境温度が10℃を超える場合に、図9に示すように以下のステップがある。
【０１６１】
S1では、一体型洗濯乾燥機が乾燥モードとされ、且つ加熱モジュールがオフ状態にある場合、環境温度並びに凝縮モジュールの冷却水温度を検出する。
S21では、環境温度と10℃（第1のプリセット環境温度閾値）とを比較する。
S2211では、環境温度が10℃以下であるか否かを判定する。
S2251では、「NO」の場合、環境温度が35℃（第2のプリセット環境温度閾値）以下であるか否かを判定する。
S2261では、「YES」の場合、冷却水温度が10℃以下であるか否かを判定する。
S2262では、冷却水温度T2が10℃以下である場合、加熱モジュールのオン温度Ton=-0.3×T1-0.1×T2+114とする。
S2263では、「NO」の場合、冷却水温度が35℃（第2のプリセット冷却水温度閾値）以下であるか否かを判定する。
S2264では、冷却水温度が35℃以下である場合、加熱モジュールのオン温度Ton=-0.3×T1-0.3×T2+112とする。
S2265では、冷却水温度が35℃を超える場合、加熱モジュールのオン温度Ton=-0.4×T1-0.2×T2+110とする。
S3では、修正したオン温度Tonに基づいて加熱モジュールをオンにする。
【０１６２】
上記実施例において、環境温度が35℃を超える場合に、図10に示すように以下のステップがある。
【０１６３】
S1では、一体型洗濯乾燥機が乾燥モードとされ、且つ加熱モジュールがオフ状態にある場合、環境温度並びに凝縮モジュールの冷却水温度を検出する。
S21では、環境温度と35℃（第2のプリセット環境温度閾値）とを比較する。
S2271では、環境温度が35℃を超えるか否かを判定する。
S2272では、「YES」の場合、冷却水温度が10℃以下であるか否かを判定する。
S2281では、冷却水温度T2が10℃以下である場合、加熱モジュールのオン温度Ton=-0.3×T1-0.1×T2+114とする。
S2273では、「NO」の場合、冷却水温度が35℃（第2のプリセット冷却水温度閾値）以下であるか否かを判定する。
S2282では、冷却水温度が35℃以下である場合、加熱モジュールのオン温度Ton=-0.4×T1-0.2×T2+110とする。
S230では、冷却水温度が35℃を超える場合、加熱モジュールのオン温度Ton=75℃とする。
S3では、修正したオン温度Tonに基づいて加熱モジュールをオンにする。
【０１６４】
勿論、具体的な実施形態において、まず環境温度と35℃とを比較し、35℃との比較結果に基づいて、10℃との比較を行うか否かを決定してもよいが、その実施は上記例示に挙げられた実施形態とは類似しており、ここでの説明を省略する。また、実際の応用では、冷却水の温度を先に判定してから環境温度を判定してもよいし、冷却水温度と環境温度との判定を同時に行ってもよいし、このような判定順序及び手段の変更は、本発明の原理及び範囲を逸脱することなく、いずれも本発明の保護範囲内に限定されるべきである。
【０１６５】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに統合してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【０１６６】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021520915.tif 000003
【図２】
2021520915.tif 000004
【図３】
2021520915.tif 000005
【図４】
2021520915.tif 000006
【図５】
2021520915.tif 000007
【図６】
2021520915.tif 000008
【図７】
2021520915.tif 000009
【図８】
2021520915.tif 000010
【図９】
2021520915.tif 000011
【図１０】
2021520915.tif 000012
【図１１】
2021520915.tif 000013
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
加熱モジュールを含む衣類処理設備用の制御方法であって、
前記制御方法は、
前記衣類処理設備が乾燥モードとされ、且つ前記加熱モジュールがオフ状態にある場合、環境温度を検出するステップと、
前記環境温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項２】
「前記環境温度に基づいて前記加熱モジュールのオン温度を修正する」というステップは、具体的に、
前記環境温度とプリセット温度閾値とを比較することと、
前記環境温度と前記プリセット温度閾値との比較結果に基づいて前記オン温度を修正することを含む、ことを特徴とする請求項1に記載の制御方法。
【請求項３】
「前記環境温度と前記プリセット温度閾値との比較結果に基づいて前記オン温度を修正する」というステップは、具体的に、
下記式に従って前記オン温度を修正することを含み、
Ton=a×T1+b
そのうち、Tonは前記オン温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
凝縮モジュール及び加熱モジュールを含む衣類処理設備用の制御方法であって、
前記制御方法は、
前記衣類処理設備が乾燥モードとされ、且つ前記加熱モジュールがオフ状態にある場合、前記凝縮モジュールの冷却水温度を検出するステップと、
前記冷却水温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項５】
「前記冷却水温度に基づいて前記加熱モジュールのオン温度を修正する」というステップは、具体的に、
前記冷却水温度とプリセット温度閾値とを比較することと、
前記冷却水温度と前記プリセット温度閾値との比較結果に基づいて前記オン温度を修正することを含む、ことを特徴とする請求項4に記載の制御方法。
【請求項６】
「前記冷却水温度と前記プリセット温度閾値との比較結果に基づいて前記オン温度を修正する」というステップは、具体的に、
下記式に従って前記オン温度を修正することを含み、
Ton=a×T1+b
そのうち、Tonは前記オン温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項5に記載の制御方法。
【請求項７】
凝縮モジュール及び加熱モジュールを含む衣類処理設備用の制御方法であって、
前記制御方法は、
前記衣類処理設備が乾燥モードとされ、且つ前記加熱モジュールがオフ状態にある場合、環境温度並びに前記凝縮モジュールの冷却水温度を検出するステップと、
前記環境温度並びに前記冷却水温度に基づいて前記加熱モジュールのオン温度を修正するステップと、
修正したオン温度に基づいて前記加熱モジュールを選択的にオンにするステップとを含む、ことを特徴とする衣類処理設備用の制御方法。
【請求項８】
「前記環境温度並びに前記冷却水温度に基づいて前記加熱モジュールのオン温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オン温度を修正することを含む、ことを特徴とする請求項7に記載の制御方法。
【請求項９】
「前記環境温度並びに前記冷却水温度と前記プリセット温度閾値との比較結果に基づいて前記オン温度を修正する」というステップは、具体的に、
下記式に従って前記オン温度を修正することを含み、
Ton=a×T1+b×T2+c×T1×T2+d
そのうち、Tonは前記オン温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数c及び前記第4の修正係数dの大きさは、前記環境温度T1と前記冷却水温度T2の大きさに依存する、ことを特徴とする請求項8に記載の制御方法。
【請求項１０】
凝縮モジュールと加熱モジュールを含む衣類処理設備であって、
前記衣類処理設備は、
前記衣類処理設備が乾燥モードとされ、且つ前記加熱モジュールがオフ状態にある場合に環境温度を検出するための環境温度センサと、
前記衣類処理設備が乾燥モードとされ、且つ前記加熱モジュールがオフ状態にある場合に前記凝縮モジュールの冷却水温度を検出するための水温センサと、
検出された環境温度及び/又は冷却水温度に基づいて前記加熱モジュールのオン温度を修正するための温度修正モジュールと、
修正したオン温度に基づいて前記加熱モジュールを選択的にオンにする制御モジュールと、を更に含む、ことを特徴とする衣類処理設備。
【国際調査報告】
2021520915.tif 000014
2021520915.tif 000015
2021520915.tif 000016
2021520915.tif 000017
2021520915.tif 000018
2021520915.tif 000019